(57)【要約】【課題】  広い室内空間を確保できながら、ラーメン構造部への応力負担の軽減を図り、外観設計の自由性と、応力のバランスとの向上を共に叶える。【解決手段】  床３をフラットスラブで構成し、躯体部４にラーメン構造を採用してある多層建築物において、床３の外周縁部に、各階層にわたるラーメン構造部Ｒを設け、床３の中央部に、梁型の環状フレーム部Ｆを設け、環状フレーム部Ｆの環内側の床３Ｂを、他の部分の床３より一段低く形成してあり、環状フレーム部Ｆを上下に貫通する状態に鉄骨の柱５が設けてある。【選択図】        図３
2005113629.tif 000002
【特許請求の範囲】
【請求項１】
床をフラットスラブで構成し、躯体部にラーメン構造を採用してある多層建築物であって、
前記床の外周縁部に、各階層にわたるラーメン構造部を設け、前記床の中央部に、梁型の環状フレーム部を設け、前記環状フレーム部の環内側の床を、他の部分の床より一段低く形成してあり、前記環状フレーム部を上下に貫通する状態に鉄骨の柱が設けてある多層建築物。
【請求項２】
基礎部と上層部との間に免震装置を介在させてある請求項１に記載の多層建築物。
【発明の詳細な説明】
【技術分野】
【０００１】
本発明は、床をフラットスラブで構成し、躯体部にラーメン構造を採用してある多層建築物に関する。
【背景技術】
【０００２】
従来、一般的な建築物においては、平面格子の各交差部位置に柱を立設し、それら各柱にわたって一体に梁が連結されたラーメン架構を基準構造とし、各梁にわたって床が形成されたものがあったが、このような構造においては、室内に梁が突出しているから、圧迫感があり、これを防止するには、階高寸法を大きくする必要があり、コスト高となり易かった。
そして、このような問題点を解消するものとして、平板状のスラブを柱で支持すると言ったフラットスラブ工法が開発された。
従来、このフラットスラブ工法を採り入れた多層建築物としては、図６に示すように、床３を同一平面内に形成されたフラットスラブで構成し、前記床３の外周縁部に、各階層にわたるラーメン構造部Ｒを設け、前記床３には、間隔をあけて鉄骨の柱５が設けてあるものがあった（例えば、特許文献１〜５参照）。
【０００３】
【特許文献１】特開平７−２３３５６２号公報（図１、図２）
【特許文献２】特許第２５３２４８２号公報
【特許文献３】特開２０００−３５２１１４号公報
【特許文献４】特開２００１−３５９６号公報
【特許文献５】特開２００２−４６０３号公報
【発明の開示】
【発明が解決しようとする課題】
【０００４】
上述した従来の多層建築物によれば、広い室内空間を確保し易くなったものの、構造的には、ラーメン構造部によって大きな応力を負担することとなり、建築物外面を構成するラーメン構造部の大断面化が避けられず、建築物の外観設計上の自由性に欠ける問題がある。また、建築物全体として見た場合の応力のバランスが悪くなり易い。
【０００５】
従って、本発明の目的は、上記問題点を解消し、広い室内空間を確保できながら、ラーメン構造部への応力負担の軽減を図り、外観設計の自由性と、応力のバランスとの向上を共に叶えることが可能な多層建築物を提供するところにある。
【課題を解決するための手段】
【０００６】
本発明の第１の特徴構成は、床をフラットスラブで構成し、躯体部にラーメン構造を採用してある多層建築物において、前記床の外周縁部に、各階層にわたるラーメン構造部を設け、前記床の中央部に、梁型の環状フレーム部を設け、前記環状フレーム部の環内側の床を、他の部分の床より一段低く形成してあり、前記環状フレーム部を上下に貫通する状態に鉄骨の柱が設けてあるところにある。
【０００７】
本発明の第１の特徴構成によれば、前記床の外周縁部に、各階層にわたるラーメン構造部を設け、前記床の中央部に、梁型の環状フレーム部を設け、前記環状フレーム部の環内側の床を、他の部分の床より一段低く形成してあり、前記環状フレーム部を上下に貫通する状態に鉄骨の柱が設けてあるから、建築物に作用する応力を、ラーメン構造部のみならず、梁型の環状フレーム部、及び、その環状フレーム部を貫通する状態に設けられた柱によっても担うことが可能となる。その結果、建築物全体として見た場合の応力のバランスが良くなると共に、ラーメン構造部の応力負担の軽減によって、使用部材の小断面化を叶えることが可能となり、建築物の外観設計上の自由性が向上する。
更には、環状フレーム部の環内側の床が、他部より一段低く形成してあるから、そのくぼみ部分を、例えば、設備配管や、ケーブル等の設備部材の配置空間として利用することができ、使い勝手の良い建築物とすることが可能となる。また、前記梁型の環状フレーム部が、前記配置空間を形成する仕切部材としての役目を果たし、梁型そのものを目立ち難くでき、フラットスラブの長所である広い室内空間を確保できる点を損ない難い。
【０００８】
本発明の第２の特徴構成は、基礎部と上層部との間に免震装置を介在させてあるところにある。
【０００９】
本発明の第２の特徴構成によれば、本発明の第１の特徴構成による上述の作用効果を叶えることができるのに加えて、免震装置によって建築物への地震力の作用を軽減することが可能となる。
従って、各部材の応力負担を軽減できるから、部材の小断面設計を叶えることができ、より広い室内空間を形成できると共に、より建築物の外観設計上の自由性が向上する。
【発明を実施するための最良の形態】
【００１０】
以下に本発明の実施の形態を図面に基づいて説明する。尚、図面において従来例と同一の符号で表示した部分は、同一又は相当の部分を示している。
【００１１】
図１、図２は、本発明の多層建築物の一実施形態である高層建築物Ｂを示すもので、当該高層建築物Ｂは、基礎部Ｂ１上に上層部Ｂ２を設けて構成してある。そして、上層部Ｂ２は、低層部Ｂ２ａと、その上に高層部Ｂ２ｂを備えて構成してある。そして、基礎部Ｂ１と上層部Ｂ２とは免震装置Ｍを介して連結されており、低層部Ｂ２ａ、高層部Ｂ２ｂへの地震力の低減を図れるように構成してある。尚、免震装置Ｍの詳細は示さないが、例えば、積層ゴム（天然ゴム、鉛プラグ入り積層ゴム、高減衰積層ゴム）や、弾性すべり支承、オイルダンパー等を備えて構成してある。
【００１２】
前記高層部Ｂ２ｂは、高層集合住宅として構成してあり、図２に示すように、矩形形状の平面の内、平面中央部に共用部分１を形成し、その共用部分を囲む外周部分に各住宅部分２が形成されている。
高層部Ｂ２ｂの構造は、床３をフラットスラブで構成し、躯体部４の外殻部にラーメン構造を採用したラーメン構造部Ｒを設けて構成してある。
即ち、ラーメン構造部Ｒは、図３、図４に示すように、鉄筋コンクリート造の柱４ａと、それら柱４ａにわたって設けられた鉄筋コンクリート造の梁４ｂとからなるラーメン構造である。尚、前記梁４ｂは、床レベルから上方に立ち上がる形状に形成された逆梁構造として形成してある。この梁４ｂが、バルコニーの手摺り部を兼用している。
また、前記ラーメン構造部Ｒで囲まれた内側部分には、各階毎にフラットスラブの床３が、前記ラーメン構造部Ｒと一体的に設けられている。そして、その床３を上下に貫通する状態にＨ形鋼からなる柱５が横間隔をあけてそれぞれ設けられている。
【００１３】
前記床３は、前記共用部分１より若干外側に位置する環状部分に、梁型の環状フレーム部Ｆを設けてある（図２参照）。そして、この環状フレーム部Ｆより環内側の床３Ｂは、環外側の床３Ａより一段低く形成してある。前記環状フレーム部Ｆと環内側の床３Ｂとで囲まれた凹部６には、室内外の設備配管が納められている他、例えば、浴槽のバスタブ等の下端部が入り込む状態に設けられている。そして、その凹部６上の人が歩く範囲には、前記環外側の床３Ａと面一の床板７が設置されている。
従って、凹部６は、床下多目的収納空間として使用されている。その結果、設備配管等の収納スペースが目立ち難くなり、室内の美観性を向上させることができる。
また、バスタブに関しては、床板７のレベルより下に入り込んでいるから、底は下げながらバスタブ縁の床上への突出高さを小さくでき、出入りしやすくなっている。
一方、同じフロアレベルで広がる窓側の空間は、フラットスラブによって高い天井高さが確保され、且つ、高くて広い窓際開口を備えた居住空間を提供している。また、前記環状フレーム部Ｆは、梁型でありながら、環内側の床３Ｂを環外側の床３Ａより一段下げてあることで梁とは見え難く、従来のように梁の部分がくっきりとその形を室内に表しているものと異なり、単なる段差として認識され易く、圧迫感が少なく広くスッキリとした居住空間を形成している。
そして、この居住空間には、柱５が立設状態に設けられており、通常の建物のように、室内に大きな柱や梁がいくつも突出していたり、耐震壁が動かせない仕切壁として位置しているようなことがなく、広い居住空間を、自由に仕切って色々な使い方ができるものである。当然のことながら、リフォームにも対応しやすい。
【００１４】
また、前記多数の柱５は、フラットな床３の部分や、前記環状フレーム部Ｆの部分にも、貫通状態に設けられており、実質的には、梁型としての環状フレーム部Ｆと柱５との協同作用で、建物強度の向上を図っており、建築物全体としては、前記ラーメン構造部Ｒと共に、建築物に必要とされるに充分な剛性と耐力を確保している。
【００１５】
因みに、前記ラーメン構造部Ｒでの柱４ａと梁４ｂとの交点部分は、図４に示すとおりの配筋状態に形成してあり、柱内部には、各鉄筋８に加えてＸ型配筋９も設けられ、剛強なＲＣ柱を形作っている。
また、床３における柱５の貫通部は、図５に示すとおりである。柱５のＨ形鋼は、極厚Ｈ形鋼を使用して構成してあり、床３を受けるフラットプレート５ｂが、床３下面の位置に合わせて柱５に溶接してある。また、床３の厚み内に相当する部分には、複数のスタッド５ａが溶接によって取り付けてあり、このスタッド５ａが、フラットな床３、又は、環状フレーム部Ｆ内のコンクリート部分に一体となって固定され、両者の応力伝達力の増強を図っている。尚、柱５に極厚Ｈ形鋼を用いることで、剛性や耐力を落とさずに柱径を小さくすることができ、より室内空間を広く使用できる。
【００１６】
本実施形態の高層建築物Ｂによれば、免震装置によって躯体部４への地震力の入力値の低減化を図ることができると共に、ラーメン構造部Ｒ、梁型の環状フレーム部Ｆ、及び、その環状フレーム部Ｆを貫通する柱５によって、建築物全体として見た場合の応力のバランスを良くでき、地震時の安全と安心を確保している。
そして、室内においては、大きく広い居住空間と開口を得ることができ、使い勝手の良い建築物とすることが可能となる。
また、ラーメン構造部Ｒや、床３、柱５、環状フレームＦ等をプレキャスト化した部材を使用すれば、建築物全体とした工期短縮や、材料コストダウン、施工コストダウンをそれぞれ叶えることが可能となる。
【００１７】
〔別実施形態〕
以下に他の実施の形態を説明する。
【００１８】
〈１〉  多層建築物は、先の実施形態で説明した高層建築物Ｂに限るものではなく、例えば、低層建築物であっても良い。また、平面形状は、必ずしも矩形形状でなくても良い。  また、本発明の多層建築物は、マンション等の居住空間を備えたものに特に好適であるが、その用途に限定されるものではなく、例えば、オフィースビル等の建築物であってもよい。
〈２〉  免震装置Ｍは、先の実施形態で説明したように基礎部Ｂ１と上層部Ｂ２との間に設けるものに限るものではなく、例えば、上層部Ｂ２の中間層に設けるもの（所謂「中間免震」）であっても良い。更には、免震装置そのものを設けない多層建築物の構成を採用することも可能である。また、免震装置Ｍを設ける場合であっても、先の実施形態で説明した積層ゴム（天然ゴム、鉛プラグ入り積層ゴム、高減衰積層ゴム）や、弾性すべり支承、オイルダンパー等の構成に限定されるものではなく、これらの単独、又は、他の免震構成、又は、それらの組み合わせ等さまざまなものを採用することができる。
【００１９】
尚、上述のように、図面との対照を便利にするために符号を記したが、該記入により本発明は添付図面の構成に限定されるものではない。
【図面の簡単な説明】
【００２０】
【図１】建築物の一部切欠き側面図
【図２】建築物の一部切欠き平面図
【図３】建築物の要部を示す側面視断面図
【図４】ラーメン構造部の要部断面図
【図５】環状フレーム部の要部断面図
【図６】従来の建築物の要部を示す側面視断面図
【符号の説明】
【００２１】
３      床
３Ａ    環外側の床
３Ｂ    環内側の床
４      躯体部
５      柱
Ｂ１    基礎部
Ｂ２    上層部
Ｆ      梁型の環状フレーム部
Ｍ      免震装置
Ｒ      ラーメン構造部
【図１】
2005113629.tif 000003
【図２】
2005113629.tif 000004
【図３】
2005113629.tif 000005
【図４】
2005113629.tif 000006
【図５】
2005113629.tif 000007
【図６】
2005113629.tif 000008